(57)【要約】【課題】材料や製造のコストを抑えることができ、隠蔽情報の隠蔽も確実で、取り扱い性に優れるはがき付きシートを提供する。【解決手段】はがき付きシート１０は、両面隠蔽可能なはがき付きシート体であって、シート状基材１１と、はがき部１３と、付属シート１４と、広告宣伝シート１５などとを備え、シート状基材１１は、表面に再剥離再貼付可能な再剥離糊１２を有し、裏面に返信用の宛名情報などを有する基材であり、はがき部１３は、シート状基材１１に、分離可能に連接された郵便はがき兼申込書であり、付属シート１４は、このはがき付きシート１０に付属されるものであって、再剥離糊１２に接着され、裏面に剥離処理１４ａがなされた剥離紙であり、使用方法に関する内容が表示され、広告宣伝シート１５は、ライン糊１６によって付属シート１４に丁合され、送付側の広告や宣伝、配送サービスに関する約款が表示されたシートである。【選択図】図１
2006110739.tif 000002
【特許請求の範囲】
【請求項１】
少なくとも片面に再剥離再貼付可能な再剥離再貼付構造を有するシート状基材と、
前記シート状基材に分離可能に連接又は丁合されたはがき部と、
前記再剥離再貼付構造に接着され、このはがき付きシートに付属される付属シートとを備え、
前記はがき部を分離し、前記付属シートを剥離して、前記再剥離再貼付構造が前記はがき部の両面に接着するように前記シート状基材で前記はがき部を挟み込んで隠蔽すること、
を特徴とするはがき付きシート。
【請求項２】
請求項１に記載のはがき付きシートにおいて、
前記付属シートは、使用方法に関する内容、配送サービスに関する内容、広告宣伝に関する内容のうち、少なくとも１つが表示されていること、
を特徴とするはがき付きシート。
【発明の詳細な説明】
【技術分野】
【０００１】
本発明は、申込書などに利用するのに好適なはがき付きシートに関するものである。
【背景技術】
【０００２】
従来、隠蔽情報を通知する往復はがきは、重ね合わせ面に隠蔽情報を印字する一方で、表出面に往信用の宛名情報を印字するものが一般的であった。
【０００３】
しかし、隠蔽情報と往信用の宛名情報とは、反対側の面にそれぞれ印字しなければならないため、両面印刷が可能なプリンタが必要であるという不都合があり、また、印字された情報が表裏に分れるため、隠蔽情報の内容と往信用の宛名情報とが正確に対応しているか確認する必要があった。
【０００４】
この問題を解消するために、隠蔽情報と往信用の宛名情報とを同一面側に印字することが可能な往復はがき用紙が提案されている（例えば、特許文献１）。
【０００５】
しかし、特許文献１の往復はがき用紙は、通信情報と往信用の宛先情報とを片面の印字だけで済ませることができるが、往復はがきの規格を満たすために、厚手の用紙を使用しなければならない。
また、往信用の宛先情報を往信はがきに表示するための開口部を３つ折りの中の１片に形成するために、往復はがき用紙のコストや製造コストが高くなるという問題があった。
【特許文献１】特開平０７−１４９０７９号公報
【発明の開示】
【発明が解決しようとする課題】
【０００６】
本発明の課題は、材料や製造のコストを抑えることができ、隠蔽情報の隠蔽も確実で、取り扱い性に優れるはがき付きシートを提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
請求項１の発明は、少なくとも片面に再剥離再貼付可能な再剥離再貼付構造（１２）を有するシート状基材（１１）と、前記シート状基材（１１）に分離可能に連接又は丁合されたはがき部（１３）と、前記再剥離再貼付構造（１２）に接着され、このはがき付きシートに付属される付属シート（１４）とを備え、前記はがき部（１３）を分離し、前記付属シート（１４）を剥離して、前記再剥離再貼付構造（１２）が前記はがき部（１３）の両面に接着するように前記シート状基材（１１）で前記はがき部（１３）を挟み込んで隠蔽すること、を特徴とするはがき付きシートである。
請求項２の発明は、請求項１に記載のはがき付きシートにおいて、前記付属シート（１４）は、使用方法に関する内容、配送サービスに関する内容、広告宣伝に関する内容のうち、少なくとも１つが表示されていること、を特徴とするはがき付きシートである。
【発明の効果】
【０００８】
本発明によれば、シート状基材とはがき部と付属シートとを別体とすることにより、各基材の最適化が図れ、材料のコストを抑えることができる。
また、再剥離再貼付構造を片面に形成することによって、はがき部の両面隠蔽が可能となるので、表裏それぞれの面に擬似接着構造や再剥離再貼付構造を設けなければならない従来の方式と比較して、安価に製造できる。
さらに、付属シートは、付属物としての役割と再剥離再貼付構造を保護する役割とを兼用しているので、材料に無駄がない。
【発明を実施するための最良の形態】
【０００９】
本発明は、材料や製造のコストを抑えることができ、隠蔽情報の隠蔽も確実で、取り扱い性に優れるはがき付きシートを提供するという目的を、はがき部を隠蔽するシート状基材と付属シートとを再剥離糊によって一体化することにより実現する。
【実施例１】
【００１０】
以下、図面等を参照して、本発明の実施例について、さらに詳しく説明する。
図１は、本発明によるはがき付きシートの実施例１を示す図である。
実施例１のはがき付きシート１０は、両面隠蔽可能なはがき付きシート体であって、シート状基材１１と、はがき部１３と、付属シート１４と、広告宣伝シート１５などとを備える。
【００１１】
シート状基材１１は、表面に再剥離再貼付可能な再剥離糊（再剥離再貼付構造）１２を有し、裏面に返信用の宛名情報などを有する基材であり、具体的には、連量：１１０ｋｇ（１２７．９ｇ／ｍ2）の上質紙が用いられている。
【００１２】
はがき部１３は、シート状基材１１に、ミシン目などを介して分離可能に連接された郵便はがき兼申込書であり、シート状基材１１と同様の上質紙である。
【００１３】
付属シート１４は、このはがき付きシート１０に付属されるものであって、再剥離糊１２に接着され、裏面に剥離処理１４ａがなされた剥離紙であり、使用方法に関する内容が表示され、具体的には、連量：５５ｋｇ（６４．０ｇ／ｍ2）の上質紙が用いられている。
【００１４】
広告宣伝シート１５は、ライン糊１６によって付属シート１４に丁合され（貼り合わされ）、送付側の広告や宣伝、配送サービスに関する約款が表示されたシートであり、その材料は、返信はがきなどとして二次使用されるものではないので、広告宣伝の態様に合わせて、任意のものを用いる。
【００１５】
次に、実施例１によるはがき付きシート１０の使用方法について説明する。
まず、広告宣伝シート１５を見て、その内容や約款などを確認する。
ついで、はがき部１３に必要事項を記入し、はがき部１３を分離する。
さらに、付属シート１４を剥離して、再剥離糊１２を表出させる。
そして、再剥離糊１２がはがき部１３の両面に接着するように、はがき部１３を間に挟み込みながら、シート状基材１１を２つ折りして、はがき部１３を隠蔽する。
最後に、郵便ポストへ投函する。
【００１６】
このように、実施例１によれば、以下のような効果がある。
（１）シート状基材１１及びはがき部１３には、はがき用の用紙を、付属シート１４には、剥離紙を、広告宣伝シート１５には、任意の用紙を用いることによって、各基材の最適化が図れ、材料のコストを抑えることができる。
（２）再剥離糊１２の片面塗布方式によって、はがき部１３の両面隠蔽が可能となるので、表裏それぞれの面に擬似接着構造や再剥離再貼付構造を設けなければならない従来の方式と比較して、安価に製造できる。
【００１７】
（３）はがき部１３の両面の略全面をシート状基材１１で挟み込むように隠蔽するので、接着面積が十分に確保でき、隠蔽情報の隠蔽が確実である。
（４）はがき部１３を同質のシート状基材１１で挟み込むので、積層された製品にカールが生じることがなく、高品質なはがきとして提供することができる。
【００１８】
（５）シート状基材１１を２つ折りするだけの簡単な作業で隠蔽できるので、取り扱い性にも優れる。
（６）付属シート１４は、使用方法が表示された付属物としての役割と再剥離糊１２を保護する役割とを兼用しているので、材料に無駄がない。
【実施例２】
【００１９】
図２は、本発明によるはがき付きシートの実施例２を示す図である。
なお、前述した実施例１と同様な機能を果たす部分には、同一の符号又は末尾に統一した符号を付して、重複する説明や図面を適宜省略する。
実施例２のはがき付きシート１０Ａは、実施例１の剥離紙をなくし、付属シート１４と広告宣伝シート１５とを合体させたタイプのものである。
【００２０】
付属シート１４Ａは、広告宣伝、使用方法、約款のすべてが表示されており、また、裏面には、剥離性を有するメジウムインキ１４ｂが塗布されている。
また、これらは、５ｃ機（表４色／裏４色＋１色：５つのカラーの印刷機）で印刷されており、メジウムインキ１４ｂは、裏面の１ｃを利用して塗布されている。
【００２１】
このように、実施例２によれば、付属シート１４Ａが、剥離紙や広告宣伝、約款、使用方法の案内を兼用するので、基材の数を減少させることができ、実施例１のものよりも低コストに製造できる。
【００２２】
（変形例）
以上説明した実施例に限定されることなく、種々の変形や変更が可能であって、それらも本発明の均等の範囲内である。
（１）はがき部１３は、シート状基材１１に連接されている例で説明したが、ライン糊などによって丁合するようにしてもよい。このようにすれば、はがき部１３のみに、はがきの規格を満たす用紙を用いることができるので、シート状基材１１の材料は、紙質や厚さを自由に選択することができ、より安価な材料構成とすることができる。
【００２３】
（２）再剥離再貼付構造は、再剥離糊１２の例で説明したが、通常の圧力では接着せずかつ強圧下では接着性を発現する感圧接着剤、加熱することによって粘着性を発現する感熱接着剤、水分を供給することによって粘着性を発現する再湿性接着剤であってもよく、また、擬似フィルムなどの擬似接着構造を活用するようなものであってもよい。
【図面の簡単な説明】
【００２４】
【図１】本発明によるはがき付きシートの実施例１を示す図である。
【図２】本発明によるはがき付きシートの実施例２を示す図である。
【符号の説明】
【００２５】
１０、１０Ａ  はがき付きシート
１１  シート状基材
１２  再剥離糊（再剥離再貼付構造）
１３  はがき部
１４、１４Ａ  付属シート
１４ａ  剥離処理
１４ｂ  メジウムインキ
１５  広告宣伝シート
１６  ライン糊
【図１】
2006110739.tif 000003
【図２】
2006110739.tif 000004